【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
頭部への装着状態において前頭部側から後頭部側にかけて延びるフレームと、
該フレームに取り付けられ、後頭部に押圧されるパッドを備えた頭押さえ部とを有し、
前記頭押さえ部は、前記パッドにおける前記後頭部への押圧面のうち前記頭部への装着方向の先端側が、前記頭部への未装着状態において、装着状態に比べて前記頭部側を向くように前記頭部への装着方向に対して傾斜した状態になるように前記パッドを保持することを特徴とする頭部装着装置。
【請求項２】
前記頭押さえ部は、前記未装着状態における前記パッドの前記装着方向での先端が、前記装着状態における該先端よりも、前記頭部への押圧方向とは反対方向に位置するよう前記パッドを保持することを特徴とする請求項１に記載の頭部装着装置。
【請求項３】
前記頭押さえ部は、前記パッドを回動可能に保持し、
前記未装着状態における前記パッドの前記装着方向での先端が、該パッドの回動の中心を通り前記装着方向に延びるライン上又は該ラインに対して前記反対方向に位置することを特徴とする請求項２に記載の頭部装着装置。
【請求項４】
前記頭押さえ部は、前記傾斜した状態になるように前記パッドを付勢する付勢手段を有することを特徴とする請求項１から３のいずれか１つに記載の頭部装着装置。
【請求項５】
前記頭押さえ部は、前記パッドを前記装着状態で前記頭部に向かって凹となる形状と前記未装着状態で凸となる形状とに変形可能に保持することを特徴とする請求項１から３のいずれか１つに記載の頭部装着装置。
【請求項６】
前記頭押さえ部は、前記後頭部に押圧される第１のパッドと、頭頂部に押圧される第２のパッドと、該第１および第２のパッドを支持する支持部材とを有し、前記第１のパッドが前記傾斜した状態になるように前記支持部材を保持することを特徴とする請求項１から５のいずれか１つに記載の頭部装着装置。
【請求項７】
前記頭押さえ部は、前記未装着状態において、前記第２のパッドの自重によって前記傾斜した状態になるように前記第１のパッドを保持することを特徴とする請求項６に記載の頭部装着装置。
【請求項８】
頭部への装着状態において前頭部側から後頭部側にかけて延びるフレームと、
該フレームに取り付けられ、前記頭部に押圧されるパッドを備えた頭押さえ部とを有し、
前記頭押さえ部は、前記頭部への装着過程において、前記パッドを前記頭部における押圧位置にガイドするガイド部材を有することを特徴とする頭部装着装置。
【請求項９】
前記ガイド部材は、前記パッドの前記頭部への押圧方向とは反対方向に延びていることを特徴とする請求項８に記載の頭部装着装置。
【請求項１０】
請求項１から９のいずれか１つに記載の頭部装着装置と、
前記フレームにより支持された頭部装着型機器とを有することを特徴とする頭部装着システム。
【請求項１１】
前記頭部装着型機器は、画像形成素子と、該画像形成素子により形成された画像を装着者に観察させる光学系とを有する表示機器であることを特徴とする請求項１０に記載の頭部装着システム。
【手続補正２】
【補正対象書類名】明細書
【補正対象項目名】００１２
【補正方法】変更
【補正の内容】
【００１２】
本願第１の発明である頭部装着装置は、頭部への装着状態において前頭部側から後頭部側にかけて延びるフレームと、該フレームに取り付けられ、後頭部に押圧されるパッドを備えた頭押さえ部とを有し、前記頭押さえ部は、前記パッドにおける前記後頭部への押圧面のうち前記頭部への装着方向の先端側が、前記頭部への未装着状態において、装着状態に比べて前記頭部側を向くように前記頭部への装着方向に対して傾斜した状態になるように前記パッドを保持することを特徴とする。
【手続補正３】
【補正対象書類名】明細書
【補正対象項目名】００１３
【補正方法】変更
【補正の内容】
【００１３】
本願第２の発明である頭部装着装置は、頭部への装着状態において前頭部側から後頭部側にかけて延びるフレームと、該フレームに取り付けられ、前記頭部に押圧されるパッドを備えた頭押さえ部とを有し、前記頭押さえ部は、前記頭部への装着過程において、前記パッドを前記頭部における押圧位置にガイドするガイド部材を有することを特徴とする。
【手続補正４】
【補正対象書類名】明細書
【補正対象項目名】００１４
【補正方法】変更
【補正の内容】
【００１４】
第１の発明によれば、未装着状態にあるパッドにおける前記後頭部への押圧面のうち頭部への装着方向の先端側を、装着状態に比べて頭部側を向くように頭部への装着方向に対して傾斜した状態としているため、頭部装着装置を頭部に対してスムーズに装着することができる。
【手続補正５】
【補正対象書類名】明細書
【補正対象項目名】００２７
【補正方法】変更
【補正の内容】
【００２７】
そして、ＨＭＤが未装着状態にあるとき、後頭部押圧部６は付勢ばね７の付勢力を受けることで、後頭部押圧パッド６ａの当接面（装着面）が図２の下方向（ＨＭＤの装着方向）を向くようになっており、装着者の頭部１００に対して開いた状態（装着方向に対して当接面が傾斜した状態）となっている。ここで、ＨＭＤの未装着状態においては、図２に示すように、後頭部パッド取付基台６ｂの一部がパッド保持部材８の端部に当接しており、後頭部押圧部６が上記装着方向に対して所定角度だけ傾いている。
【手続補正６】
【補正対象書類名】明細書
【補正対象項目名】００３１
【補正方法】変更
【補正の内容】
【００３１】
上述したようにＨＭＤの未装着状態において後頭部押圧部６が開いた（傾斜した）状態となることで、ＨＭＤを装着する際に、前頭部押圧部３および後頭部押圧部６の間隔が狭く、後頭部押圧パッド６ａが頭部１００（頭頂部側）に当たっても、後頭部押圧部６は図４（Ａ）の矢印Ｃの方向に回動することになる。これにより、ＨＭＤの装着時に後頭部押圧部６が矢印Ｃ方向とは逆方向に回転してしまうことはない。
【手続補正７】
【補正対象書類名】明細書
【補正対象項目名】００３９
【補正方法】変更
【補正の内容】
【００３９】
さらに、後頭部押圧部１１は、ベルト１０が取り付けられるベルト取付部１１ｄを有している。ベルト取付部１１ｄはベルト１０を介してベルト連結部９に連結されている。ベルト連結部９は、第２フレーム４ｂの端部に設けられている。
【手続補正８】
【補正対象書類名】明細書
【補正対象項目名】００４３
【補正方法】変更
【補正の内容】
【００４３】
図５に示す状態にあるＨＭＤを装着者の頭部１００に対して所定位置（装着位置）まで移動させた後、長さ調節機構５を用いて第１フレーム４ａに対して第２フレーム４ｂの位置を調節すると、ベルト連結部９およびベルト１０を介してベルト取付部１１ｄが引っ張られることにより、後頭部押圧部１１が変形する。すなわち、後頭部押圧パッド１１ａの中央領域が装着者の頭部１００によって押し込まれることとなり、後頭部押圧パッド１１ａおよび後頭部パッド取付基台１１ｂが、図７に示すように装着者の後頭部に沿った形状に変形する。
【手続補正９】
【補正対象書類名】明細書
【補正対象項目名】００４９
【補正方法】変更
【補正の内容】
【００４９】
ＨＭＤが未装着状態にあるとき、後頭部押圧部１２は、頭頂部支持部１３の自重や付勢ばね７の図９の矢印Ｅ方向の付勢力を受けて、後頭部パッド取付基台１２ｂがパッド保持部材８の端部に当接した状態で保持されている。このとき、後頭部押圧部１２は、実施例１の後頭部押圧部６と同様に、装着者の頭部１００に対して開いた状態（装着方向に対して当接面が傾斜した状態）となっている。なお、付勢バネ７を設けずに、頭頂部支持部１３の重みによって後頭部押圧部１２を上記開いた状態とすることができる。
【手続補正１０】
【補正対象書類名】明細書
【補正対象項目名】００５２
【補正方法】変更
【補正の内容】
【００５２】
そして、ＨＭＤを装着者の頭部１００に対して所定位置まで移動させた後に、長さ調節機構５を用いて後頭部押圧部１２および前頭部押圧部３の間隔を調節することで、後頭部押圧部１２が装着者の後頭部に押圧される。これにより、ＨＭＤを装着者の頭部１００に固定することができる。
【手続補正１１】
【補正対象書類名】明細書
【補正対象項目名】００６０
【補正方法】変更
【補正の内容】
【００６０】
ここで、ＨＭＤを装着者の頭部に対して所定位置まで移動させることができない場合、すなわち、頭部に対して前頭部押圧部３および後頭部押圧部１６の間隔が狭い場合には、ロック解除ボタン１５を操作して第１フレーム４ａに対する第２フレーム４ｂの位置を変更することで、前頭部押圧部３および後頭部押圧部１６の間隔を広げればよい。